(57)【要約】      （修正有）【課題】鍵盤部と音源部との分離及び連結（再組立）を容易に行うことができるアップライト型ピアノ玩具を提供する。【解決手段】鍵盤部３に配置された鍵３０が操作されることによってハンマー４０が回動し、音源部５に固定された発音体５０を叩いて音を発するアップライト型ピアノ玩具であって、鍵盤部３は、複数の鍵３０と、対応する発音体５０に前端部４１が衝突することにより当該発音体から音を発生させるハンマー４０と、ハンマー４０の回動軸より後方且つ上方位置に左右方向に延設されたアクションレール３９と、を備え、音源部５は鍵３０に対応する数の発音体５０を立設配置するとともに、鍵盤部３に対して音源部５が着脱自在に装着可能な構造とする。【選択図】図１
2020048770.tif 000002
【特許請求の範囲】
【請求項１】
鍵盤部に配置された鍵が操作されることによってハンマーが回動し、音源部に固定された発音体を叩いて音を発するアップライト型ピアノ玩具であって、
前記鍵盤部は、
左右方向に並設されるとともに各々が前後方向に伸長して長さ方向の中央付近で前記鍵盤部に揺動自在に支持された複数の鍵と、
前記各鍵の後端側において回動自在に支持され、押鍵された鍵に連動して回動し、対応する発音体に前端部が衝突することにより当該発音体から音を発生させるハンマーと、
前記ハンマーの回動軸より後方且つ上方位置に左右方向に延設されたアクションレールと、を備え、
前記音源部は、前記鍵に対応する数の発音体を立設配置することで、
押鍵時に鍵の後端側の上昇に応じてハンマーの回動軸が上昇し、ハンマーの後端側が上方に移動した時に前記アクションレールに当接することでハンマー後端側のそれ以上の上昇を規制し、更に押鍵が進むことによりハンマー前端側がハンマー回動軸を中心に発音体に向かって回動して衝突することで発音する一方、
前記鍵盤部に対して前記音源部を着脱自在に装着して成る
ことを特徴とするアップライト型ピアノ玩具。
【請求項２】
前記音源部が前記鍵盤部から分離した状態において、
押鍵時によるハンマーの回動は、前記発音体に衝突する位置より先の位置で回動が規制されることを特徴とする請求項１に記載のアップライト型ピアノ玩具。
【請求項３】
各ハンマーの後端側上面にＶ字溝を形成し、前記Ｖ字溝を構成する各面により、前記上昇を規制する部位と、前記回動を規制する部位が形成される請求項２に記載のアップライト型ピアノ玩具。
【請求項４】
前記音源部の発音体載置板に対して固定された各発音体の下端位置は、楽音が高いほど上側に位置する請求項１に記載のアップライト型ピアノ玩具。
【発明の詳細な説明】
【技術分野】
【０００１】
本発明は、鍵盤が操作されることによってハンマーが発音体を叩いて発音するアップライト型ピアノ玩具に関し、発音体の部分を分離してマレットで叩いて発音する打楽器として使用できる構造のピアノ玩具に関する。
【背景技術】
【０００２】
ピアノ玩具としては、例えば特許文献１に開示されているように、上側ケースと下側ケースを備えて構成され、下側ケースに鍵盤を配置するとともに上側ケースに木製の複数の発音体を配置し、鍵盤を構成する鍵を押鍵することで鍵の先に連結したハンマーが回動し、ハンマー先端部が発音体の裏面を叩くことで発音する楽器おもちゃが存在する。
そして、上側ケースの上面側に開口部を設けて各発音体を臨ませ、マレットを使用して発音体を開口部側から叩くことで、打楽器（木琴）のように使用できる構造となっている。
【先行技術文献】
【特許文献】
【０００３】
【特許文献１】実公昭６１−２１１０３号公報
【発明の概要】
【発明が解決しようとする課題】
【０００４】
特許文献１に記載のピアノ玩具によれば、ケースの内部にハンマーが収容されているため、押鍵することでハンマーが回動して発音体を叩くことで発音する機構を可視化することができないので、ピアノ玩具を使用する幼児に対して発音原理を理解させることが難しい面があった。
特許文献１のピアノ玩具はグランド型ピアノの発音原理を採用しており、普及率が高いアップライト型ピアノの発音原理を示す構造ではなかった。
【０００５】
また、特許文献１のピアノ玩具は、複数鍵を有する鍵盤部と、複数発音体を有する音源部とが完全に分離できる構造ではなく、打楽器（木琴）単独で使用することを想定していない。
更に、鍵盤部と音源部とが分離できる構造をアップライト型ピアノ玩具で実現する場合、音源部が鍵盤部から分離した状態で回動したハンマーが元の位置に戻り難くなる状況が生じ、幼児による再組立（鍵盤部に対する音源部の結合）に支障を来す可能性が懸念される。
【０００６】
本発明は上記事情に鑑みて提案されたもので、アップライト型ピアノの発音原理を可視化可能な構造のピアノ玩具を提供することを目的としている。
また、ピアノ玩具においてアップライト型ピアノの構造を採用した場合に、鍵盤部と音源部との分離及び連結（再組立）を容易に行うことができる構造を提供することを目的としている。
【課題を解決するための手段】
【０００７】
上記目的を達成するため請求項１のアップライト型ピアノ玩具は、鍵盤部（３）に配置された鍵（３０）が操作されることによってハンマー（４０）が回動し、音源部（５）に固定された発音体（５０）を叩いて音を発するアップライト型ピアノ玩具であって、次の構成を含むことを特徴としている。
前記鍵盤部（３）は、
左右方向に並設されるとともに各々が前後方向に伸長して長さ方向の中央付近で前記鍵盤部（３）に揺動自在に支持された複数の鍵（３０）と、
前記各鍵（３０）の後端側において回動自在に支持され、押鍵された鍵（３０）に連動して回動し、対応する発音体（５０）に前端部（４１）が衝突することにより当該発音体から音を発生させるハンマー（４０）と、
前記ハンマー（４０）の回動軸（４５）より後方且つ上方位置に左右方向に延設されたアクションレール（３９）と、を備えている。
前記音源部（５）は、前記鍵（３０）に対応する数の発音体（５０）を立設配置することで、
押鍵時に鍵（３０）の後端側の上昇に応じてハンマー（４０）の回動軸（４５）が上昇し、ハンマー（４０）の後端側が上方に移動した時に前記アクションレール（３９）に当接することでハンマー後端側のそれ以上の上昇を規制し、更に押鍵が進むことによりハンマー前端側がハンマー（４０）の回動軸（４５）を中心に発音体（５０）に向かって回動して衝突することで発音する。
また、前記鍵盤部（３）に対して前記音源部（５）が着脱自在に装着されている。
【０００８】
請求項２は、請求項１のアップライト型ピアノ玩具において、
前記音源部（５）が前記鍵盤部（３）から分離した状態での押鍵時によるハンマー（４０）の回動は、前記発音体（５０）に衝突する位置より先の位置で回動が規制されることを特徴としている。
【０００９】
請求項３は、請求項１のアップライト型ピアノ玩具において、各ハンマー（４０）の後端側上面（４２）にＶ字溝（４３）を形成し、前記Ｖ字溝（４３）を構成する各面により、前記上昇を規制する部位と、前記回動を規制する部位が形成されることを特徴としている。
【００１０】
請求項４は、請求項１のアップライト型ピアノ玩具において、前記音源部（５）の発音体載置板（５３，５４）に対して固定された各発音体（５０）の下端位置は、楽音が高いほど上側に位置することを特徴としている。
【発明の効果】
【００１１】
請求項１の発明によれば、ハンマー（４０）が上方に移動した時にハンマー後端側がアクションレール（３９）に当接することでハンマー後端側のそれ以上の上昇を規制し、更なる押鍵によるハンマー（４０）の回動で発音体（５０）に衝突するアップライト型ピアノの構造を採用しつつ、鍵盤部（３）と音源部（５）との分離及び連結（再組立）を行うことができる。
【００１２】
請求項２の発明によれば、音源部（５）が鍵盤部（３）から分離された状態でのハンマー（４０）の回動時に、ハンマー後端側がアクションレール（３９）に当接することでハンマー（４０）のそれ以上の回動を規制することにより、ハンマー（４０）が自重で鍵盤部（３）の元の位置に戻る回動限界位置とすることができる。
【００１３】
請求項３の発明によれば、各ハンマー（４０）の後端側上面にＶ字溝（４３）を形成し、前記Ｖ字溝（４３）を構成する各面により、前記上昇を規制する部位と、前記回動を規制する部位が形成されることで、ハンマー（４０）の所定位置以上の上昇及び回動を確実に規制することができる。
【００１４】
請求項４の発明によれば、発音体（５０）の下端位置を調整することで、各発音体（５０）の全長に対して同じ割合の位置をハンマー（４０）の前端部（４１）で打撃することができる。
【図面の簡単な説明】
【００１５】
【図１】本発明のアップライト型ピアノ玩具（鍵盤部と音源部の連結状態）の斜視説明図である。
【図２】本発明のアップライト型ピアノ玩具（鍵盤部と音源部の分離状態）の斜視説明図であり、（ａ）は音源部の斜視説明図、（ｂ）は鍵盤部の斜視説明図である。
【図３】アップライト型ピアノ玩具の正面説明図である。
【図４】アップライト型ピアノ玩具の側面説明図である。
【図５】鍵部分の構成を示す平面説明図である。
【図６】ハンマーの側面説明図である。
【図７】アップライト型ピアノ玩具の鍵盤部における鍵とハンマーとアクションレールの位置関係を示す平面説明図である。
【図８】アップライト型ピアノ玩具の音源部の正面説明図である。
【図９】アップライト型ピアノ玩具の鍵盤部における鍵盤とハンマーとの動作状態を説明するための側面説明図である。
【発明を実施するための形態】
【００１６】
以下、本発明の実施形態に係るアップライト型ピアノ玩具について、図１〜図８を参照しながら説明する。
図１は、アップライト型ピアノ玩具１の斜視説明図であり、鍵盤部３と音源部５とが連結されることで形成されている。鍵盤部３は、正面板３１（図１及び図４）と左右端の側面板３２Ｌ，３２Ｒ（図１及び図３）と背面板３３（図４）とにより枠が形成され、底部分を底面板３４（図３及び図４）で塞ぐことで上方が開口された箱体を形成している。
【００１７】
箱体内部における底面板３４上には、方形柱状の載置台３５が固定され、載置台３５に１オクターブ（ド・レ・ミ・ファ・ソ・ラ・シ・ド）に相当する８本の鍵３０が左右方向（図３）に並設されている。各鍵３０は、各々が前後方向に伸長して長さ方向の中央付近に設けられた孔部３０ａから支点となる位置にピン３０ｂを介して載置台３５に揺動自在に支持されている（図４）。
また、底面板３４の載置台３５より前方側の鍵の先端下には衝突板３６が装着され、鍵３０の下面が衝突板３６に当接して鍵３０を所定位置より下方に押し込めないようにすることで、鍵３０の下方への揺動を規制するようになっている。
【００１８】
各鍵３０は、図５に示すようにその後端側に溝部３０ｃを設け、この溝部３０ｃに回動軸４５を介して前端部４１を備えたＬ字状のハンマー４０が回動自在に支持されている。
ハンマー４０は、図４に示されるように、押鍵された鍵３０に連動して上方に移動し、その後に回動軸４５を中心に回動し、前端部４１が音源部５に装着された発音体５０に衝突することにより当該発音体から音が発生する。
【００１９】
ハンマー４０の回動軸４５より後方且つ上方位置には、ハンマー４０の移動及び回動の動作を制御するため左右方向に延設されたアクションレール３９が背面板３３上に連設して固定されている。
ハンマー４０の上面４２の後端側には、図６に示すように、Ｖ字溝４３が形成されている。そして、Ｖ字溝４３を構成する前方面４３ａ及び後方面４３ｂの各面により、鍵３０の押鍵に連動するハンマー４０位置のアクションレール３９に対する移動（上昇）及び回動が規制されるようになっている。また、Ｖ字溝４３を構成する前方面４３ａ及び後方面４３ｂは、前方面４３ａより後方面４３ｂの方の傾斜角度を大きく設定している。
ハンマー４０の移動及び回動の動作の詳細に関しては、それによる発音動作とともに後述する。
【００２０】
音源部５は、図７及び図８に示されるように、高さの異なる側板５２Ｌと側板５２Ｒとの間に背面板５１を装着し、この背面板５１に対して、側板５２Ｌ及び側板５２Ｒの下端同士を繋ぐ位置に発音体載置板５３を、上端同士を繋ぐ位置に発音体載置板５４をそれぞれ配置する。発音体載置板５３及び発音体載置板５４の前面側に各鍵３０に対応する数（８本）の発音体５０を立設して固定している。各発音体５０は、１オクターブ分の音が発音されるように長さを異にして形成され、長い順に左から右へと発音体載置板５３，５４に装着されている。
【００２１】
また、各発音体５０の下端位置についても、左から右へ高くなるように発音体載置板５３，５４に固定されている。これは、後述するハンマー４０の前端部４１による各発音体５０での衝突高さが構造上同じ位置となるため、なるべく発音条件を統一させるために各発音体５０の全体長さに対する衝突位置の下端からの長さ割合を同等にするためである。
【００２２】
鍵盤部３の側面板３２Ｌ，３２Ｒの奥側に設けた溝部３２ａに、背面板５１の下端が嵌合することで、鍵盤部３に対して音源部５が立設して装着される（図１）。鍵盤部３から音源部５を分離する場合は、図２に示すように、音源部５の背面板５１を底面とする木琴として使用可能となる。
また、側面板３２Ｌ，３２Ｒにそれぞれ収納片６０Ｌ，６０Ｒを設け、木琴として使用する場合に発音体５０を叩くための一対の木製マレット７０を左右に収納できる構造としてもよい（図３及び図４）。
【００２３】
上述したアップライト型ピアノ玩具によれば、複数のハンマー４０が配置された鍵盤部３に対して音源部５の発音体５０を立設させて連結することで、アップライト型ピアノの発音原理を可視化可能な構造とすることができる。
【００２４】
次に、鍵盤部３に音源部５が連結されたアップライト型ピアノ玩具で使用するに際して、押鍵による発音動作について、図９を参照して説明する。
鍵３０の前方（手前）側を押すと、ピン３０ｂの位置を支点として鍵３０が揺動して下がるとともに、鍵３０の後方側に連結されたハンマー４０Ｐ（通常静止位置）の位置がハンマー４０Ｑ（上昇途中位置）の位置に上昇し、その後に後方面４３ｂがアクションレール３９の下面に当接してこれ以上のハンマー４０Ｒ（上昇限度位置）の上昇が規制される。すなわち、ハンマー４０の後端側に形成されたＶ字溝の後方面４３ｂが、ハンマー４０の後端側の上昇を規制する部位となる。
【００２５】
更に鍵３０の押鍵を続けると、ハンマー４０は回動軸４５を中心として、ハンマー４０Ｓに示すように後方側に回動する。
そして、鍵３０の押鍵により更に回動を続け、ハンマー４０Ｔ（衝突位置）の位置で前端部４１が発音体５０に衝突して発音する。
なお、この状態（ハンマー４０Ｔの位置）では、ハンマー４０の前方面４３ａとアクションレール３９との間には隙間が存在し、前方面４３ａがアクションレール３９に衝突しないようになっている。
【００２６】
鍵盤部３から音源部５を分離させた状態で鍵３０を押鍵した場合には、ハンマー４０は、衝突する発音体５０が存在しないため、上述したハンマー４０Ｔの位置から更に後方側へ回動することになるが、ハンマー４０の前方面４３ａがアクションレール３９に当接することで、ハンマー４０は手前側に傾斜した状態でそれ以上の回動が規制されることになる。すなわち、ハンマー４０の後端側に形成されたＶ字溝の前方面４３ａが、ハンマー４０の回動を規制する部位となる。
そして、鍵３０の押鍵を止めると、ハンマー４０は、手前側に傾斜しているので、その重心位置により前方（手前）側に回動し、ハンマー４０Ｐ（通常静止位置）の位置まで戻る。
そのため、鍵盤部３から音源部５を分離させた状態で鍵３０を押鍵しても、ハンマー４０がアクションレール３９を超えた後方位置側（音源部５が連結される溝部３２ａが形成される位置側）で静止することはなく、溝部３２ａ側にスペースを確保することで、鍵盤部３は常に音源部５を連結できる状態にすることができる。
【００２７】
その結果、幼児がアップライト型ピアノ玩具１で遊ぶ場合に、鍵盤部３から音源部５を分離して木琴として使用する場合であっても、分離された鍵盤部３は常時音源部５を連結できる状態を維持するため、幼児が再組立（鍵盤部３に対する音源部５の結合）を容易に行うことができる。
【００２８】
上述したアップライト型ピアノ玩具によれば、発音体５０について、１オクターブに相当する８本を設けた例で説明したが、８本以上配置する構成であってもよい。
【符号の説明】
【００２９】
１…アップライト型ピアノ玩具、  ３…鍵盤部、  ５…音源部、  ３０…鍵、  ３０ｂ…ピン（支点）、  ３１…正面板、  ３２Ｌ，３２Ｒ…側面板、  ３３…背面板、  ３４…底面板、  ３５…載置台、  ３９…アクションレール、  ４０…ハンマー、  ４１…前端部、  ４２…上面、  ４３…Ｖ字溝、  ４３ａ…前方面、  ４３ｂ…後方面、  ４５…回動軸、  ５０…発音体、  ５１…背面板、  ５２Ｌ，５２Ｒ…側板、  ５３，５４…発音体載置板。
【図１】
2020048770.tif 000003
【図２】
2020048770.tif 000004
【図３】
2020048770.tif 000005
【図４】
2020048770.tif 000006
【図５】
2020048770.tif 000007
【図６】
2020048770.tif 000008
【図７】
2020048770.tif 000009
【図８】
2020048770.tif 000010
【図９】
2020048770.tif 000011